(57)【要約】【課題】ファンデーションの裏面における縫合部分の肌触りを、従来のバイアステープ使用時と同程度に良好に維持しながら、ファンデーションの生産性向上を可能にし、かつ従来用いられたバイアステープ用原反の無駄を省く。【解決手段】弾性布帛および通常布帛を含む２種以上の布帛１１ａ、１１ｂ、１２、１３、１４、１５を組合せ、縫合により接合して作られ、裏面側に表われる少なくとも一部の縫合部分に沿って該縫合部分を被覆する裏当てテープ１６、１７を縫着したファンデーション１０において、裏当てテープ１６、１７として縫合部分を被覆する幅に編組された平打ち組紐を用いる。【選択図】　　　図１
2004068183.tif 000002
【特許請求の範囲】
【請求項１】
弾性布帛および通常布帛を含む２種以上の布帛を組合せ、縫合により接合して作られ、裏面側に表われる少なくとも一部の縫合部分に沿って該縫合部分を被覆する裏当てテープを縫着したファンデーションにおいて、上記の裏当てテープが上記の縫合部分を被覆する幅に編組された平打ち組紐であることを特徴とするファンデーション。
【請求項２】
平打ち組紐が綿繊維とポリエステル繊維との混紡糸からなる請求項１記載のファンデーション。
【請求項３】
平打ち組紐が数本の単糸の引揃え糸を用いて組まれたものである請求項１または２に記載のファンデーション。
【発明の詳細な説明】
【０００１】
【発明の属する技術分野】
この発明は、ブラジャー、ブラスリップ、ガードル、ボディスーツ、ボディシェーパー、オールインワン、スリーインワン等のファンデーションに関するものである。
【０００２】
【従来の技術】
ブラジャーその他のファンデーションは、女性の身体を締付けて体型を補整する必要上、伸縮弾性を備えた弾性布帛（例えば、パワーネット編地）および伸縮弾性を有しない通常布帛を種々の形に裁断し、部分的に同種の布地または異種の布地を重ねたり、これらを縫合により接合したりして身体に密着する形に作られている。そして、最近では、下着としての装飾性も付与するため、表地用としてレース地も混用され、更にブラジャーにおいては、バストパッドも必要とするため、部品点数が増大し、部品の縫合部分の厚みは、厚地になる傾向があった。
【０００３】
そして、上記縫合部分の裏面、特に縫い代部分の肌触りを良好にするため、従来は、綿とポリエステル繊維の混紡糸からなるバイアステープを用い、これで袋を形成しながら上記の縫合部分に重ねて縫着することにより、縫合部分を被覆するための裏当てテープにしていた。図４において、１は上記のバイアステープからなる袋すなわち裏当てテープで、２は縫糸であり、この裏当てテープ１がファンデーション本体（図示されていない）の縫合部分の裏面に左右２本の縫糸２で縫着され、縫い代を含む縫合部分を被覆する。この場合、裏当てテープ１の経糸および緯糸が長さ方向に対して傾斜しているため、本体の縫合部が左右に湾曲していても、裏当てテープ１を本体の縫合部分に沿って容易に曲げながら上記縫合部分を被覆して肌触りをソフトに改善することができる。
【０００４】
しかしながら、上記のバイアステープは、広幅の平織物を染色した後、一定長ごとに幅方向に裁断し、これらを耳部で接合、いわゆる幅接ぎをして幅を広げ、しかるのちバイアスに裁断して幅１０〜４０ｍｍ、長さ５０〜１００ｍのテープとしていたので、上記１反の平織物から大量のバイアステープが生産される一方、幅接ぎで得られた反物には、その一端および他端に三角形の布地が残る。したがって、裏当てテープのロットが小さい場合は、原反の無駄が多くなり、しかもファンデーションの部品として縫合する際は、前記のように袋を形成しながら縫製するので、その作業が面倒で、生産性が低くなっていた。
【０００５】
【発明が解決しようとする課題】
この発明は、ファンデーションの裏面における縫合部分の肌触りを、従来のバイアステープ使用時と同程度に維持しながら、ファンデーションの生産性向上を可能にし、かつ前記バイアステープ用原反の無駄を省くものである。
【０００６】
【課題を解決するための手段】
この発明に係るファンデーションは、弾性布帛および通常布帛を含む２種以上の布帛を組合せ、縫合により接合して作られ、裏面側に表われる少なくとも一部の縫合部分に沿って該縫合部分を被覆する裏当てテープを縫着したファンデーションにおいて、上記の裏当てテープが上記の縫合部分を被覆する幅に編組された平打ち組紐であることを特徴とする。
【０００７】
すなわち、従来は、ファンデーションの裏面側の縫合部分を被覆する裏当てテープとして、経糸と緯糸からなる織物をバイアスに裁断して得られるバイアステープを袋に形成して用いていたのに対し、この発明では平打ち組紐をそのまま用いる。この平打ち組紐は、多数本の糸を紐幅一杯にまたがって千鳥状に走行させ、長さ方向に対して右上がりに傾斜する糸と左上がりに傾斜する糸とを互いに交差させて作るので、バイアステープと同様の伸縮性を備えている。したがって、縫合部分を被覆するテープとして使用すると、縫合部分が左右に湾曲している場合も、縫合部分の湾曲形状に追従して支障なく上記の縫合部分を被覆することができる。
【０００８】
しかも、上記の平打ち組紐は、該組紐を構成する各糸が千鳥状に走行して左右の縁で屈曲して耳を形成するので、バイアステープのように縁からほつれる恐れがなく、またほつれ防止のために耳を折ったり袋に形成したりする必要がなく、組紐をそのまま上記の縫合部分に重ねて縫着することができ、そのため縫着作業が容易となり、生産性が向上する。そして、平打ち組紐は、糸を用いて直ちに所定の幅に編組することができるので、バイアステープと違って原反を必要とせず、そのため小ロット生産の場合も原反の無駄が生じない。
【０００９】
この発明において、上記の平打ち組紐を構成する糸は、編織に使用される通常の繊維からなる糸であれば任意であり、天然繊維、再生繊維および合成繊維等の任意の繊維を用いて作ることができ、その形態も紡績糸、マルチフィラメント糸、またはその数本の引揃え糸、または双糸その他の撚り糸等のいずれでもよいが、肌触りの点では綿繊維、再生繊維等のセルロース系繊維が好ましく、また形態安定性の点ではポリエステル繊維等の合成繊維、特にポリエステル繊維が好ましい。そして、綿繊維およびポリエステル繊維の混紡糸は、肌触りおよび形態安定性の両者を満たす点でもっとも好ましい。
【００１０】
また、上記の糸、特に単糸の数本を引き揃えて用いた場合は、糸の配列密度が一定の場合、糸を１本ずつ用いたときに比べて、ボビン数が減少して生産性が向上すると共に、組紐の柔軟性が増大し、肌触りが一層ソフトになる。なお、上記糸の太さは、デニール換算で５０〜２００デニールに相当する太さが好ましく、上記の範囲よりも細い場合は作業中に糸切れが生じ易く、また組紐が薄く軟らかくなり過ぎて取扱いが困難になり、反対に上記の範囲よりも太い場合は、組紐が硬くなって縫着が困難になり、かつ不経済となる。
【００１１】
また、上記糸の配列密度は、幅１０ｍｍ当たり１００〜２５０本が好ましく、この密度が小さいと組紐が柔らか過ぎて、扱い難くなり、反対に大きくなると組紐が硬くなり、縫合部分に沿って曲げ難くなる。また、組織は、１本交互に浮き沈みする１本組、２本交互に浮き沈みする２本組、３本交互に浮き沈みする３本組等のいずれでもよい。そして、上記の平打ち組紐を裏当てテープとして縫着する部分は、任意に選択できるが、種々の縫合部分のうち、表地、中地、裏地、レース地、パッドその他の布地の重ね枚数が比較的多くなる部分、例えばブラジャー（他のファンデーションのブラジャー部分を含む）におけるカップ下部の下縁、該カップ下部とカップ上部の接合部等があげられる。
【００１２】
【発明の実施の形態】
図１は、ボディスーツの前身頃１０の裏面を示し、上端に位置する左右一対のブラカップ１１、その中間から下方に延びる左右一対のセンター部１２、該センター部１２の外側に位置するサイド部１３、このサイド部１３の上半部およびブラカップ１１の下縁に沿って背面に向かう脇下部１４および上記のサイド部１３と脇下部１４の交差部から背面に向かうヒップ部１５を縫合により接合して作られている。
【００１３】
上記のブラカップ１１は、カップ上部１１ａとカップ下部１１ｂとで構成されている。カップ上部１１ａは、非伸縮性メッシュの裏地とレースの表地との２層で形成され、カップ下部１１ｂは、非伸縮性トリコットの裏地、フェルト製パッド、非伸縮性トリコットの中地およびレースの表地の４層で形成されている。そして、カップ上部１１ａの上縁は織りテープ１１ｃで縁取りされ、カップ上部１１ａとカップ下部１１ｂの接合部は上向きの凸状に湾曲し、その縫合部分が平打ち組紐からなる裏当てテープ１６で被覆される。また、カップ下部１１ｂの下縁は、センター部１２、サイド部１３および脇下部１４の上縁と、下向きに凸の縫合線に沿って接合され、その縫合部分が平打ち組紐からなる裏当てテープ１７で被覆される。
【００１４】
前記のセンター部１２は、上下方向に伸縮弾性を有する経編地の裏地と主に横向きに強い伸縮弾性を有するパワーネットの表地との２層で構成され、左右のセンター部１２が割縫いで接合されている。１２ａは割縫いで左右に広げられた縫い代（縫合部分）を示す。このセンター部１２の側縁の裏側（図１の紙面手前側）にサイド部１３の内側縁が重ねられ、重縫いによって接合される。１３ａは、この重縫いで接合された縫合部分を示す。
【００１５】
上記のサイド部１３およびヒップ部１５は、いずれもパワーネットの裏地と表地の２層で形成される。ただし、裏地には別個のパワーネットが用いられ、表地にはサイド部１３およびヒップ部にまたがる共通のパワーネットが用いられ、サイド部１３の下半部外側縁に沿って上記の表地、サイド部１３の裏地およびヒップ部１５の裏地が重縫いで接合される。１３ｂは、この重縫いで接合された縫合部分である。
【００１６】
一方、前記の脇下部１４は、パワーネットの表地とパワーネットの裏地の２層で形成され、上記のサイド部１３およびヒップ部１５との隣接部は、割縫いで接合されている。１３ｃ、１４ａは、割縫いで広げられた縫い代（縫合部分）を示す。なお、上記のサイド部１３および脇下部１４の上部には、表地の表面に重ねてレース地が取付けられる。
【００１７】
上記のカップ下部１１ｂと脇下部１４の縫合部分は、図２の断面図に示すように、カップ下部１１ｂの下縁に脇下部１４の上縁が伏せ縫いで接合され、その縫合部分の裏面に前記の裏当てテープ１７が縫合部分を被覆するように重ねられ、２列の縫目１７ｂで縫着される。なお、図２において、カップ下部１１ｂは、前記のように非伸縮性トリコットの裏地１１ｄ、フェルト製パッド１１ｅ、非伸縮性トリコットの中地１１ｆおよびレースの表地（図示されていない）の４層で形成される。また、脇下部１４は、パワーネットの表地１４ｂとパワーネットの裏地１４ｃの２層で形成され、必要に応じて表地１４ｂにレース地（図示されていない）が重ねられる。
【００１８】
上記の裏当てテープ１７は、図３に示すように、多数本の糸１７ａからなる平打ち組紐で形成される。組織は、１本組が図示されているが、２本組、３本組であってもよい。また、上記の糸１７ａとしては、ポリエステル繊維と綿繊維の混紡糸であって、太さが４５〜６０番手の単糸を４〜６本引き揃え、合計番手を１０〜１５番手として用いるのが好ましい。そして、好ましくは２５〜５０本立てで組まれ、幅８〜２０ｍｍの組紐に仕上げられる。
【００１９】
この実施形態（図１参照）では、カップ上部１１ａとカップ下部１１ｂの縫合部分裏面にも、その縫合部分を被覆する裏当てテープ１６として平打ち組紐が縫合される。なお、左右一対のセンター部１２を接合する割縫い部の縫合部分（縫い代）１２ａに上記の平打ち組紐を裏当てテープとして縫合し、肌触りをソフトに改善することができる。また、脇下部１４の下縁沿いの割縫い部の縫い代部（縫合部分）１４ａ、１３ｃに上記の平打ち組紐を裏当てテープとして縫合し、肌触りをソフトに改善することができる。
【００２０】
【発明の効果】
上記のとおり、この発明に係るファンデーションは、縫合部分を被覆する裏当てテープとして平打ち組紐を用いたものであるから、肌触りをソフトに改善でき、縫合部分が左右に湾曲している場合も、縫合部分の湾曲形状に追従して支障なく上記の縫合部分を被覆することができると共に、従来のバイアステープに比べて縫着作業が容易で、生産性が向上し、しかも小ロット生産の場合も資源の無駄が生じない。特に請求項２に係る発明は、肌触りおよび形態安定性に優れ、取扱いが容易である。また、請求項３に係る発明は、肌触りが一層ソフトになり、かつ生産性が向上する。
【図面の簡単な説明】
【図１】実施形態の裏面図である。
【図２】図１のＡ−Ａ線断面図である。
【図３】平打ち組紐の組織図である。
【図４】従来の裏当てテープの構造図である。
【符号の説明】
１０：ボディスーツ（ファンデーション）の前身頃
１１：ブラカップ
１１ａ：カップ上部
１１ｂ：カップ下部
１２：センター部
１３：サイド部
１４：脇下部
１５：ヒップ部
１６、１７：平打ち組紐（裏当てテープ）
【図１】
2004068183.tif 000003
【図２】
2004068183.tif 000004
【図３】
2004068183.tif 000005
【図４】
2004068183.tif 000006